(57)【特許請求の範囲】
【請求項１】
回転軸と同心に且つ前記回転軸と並行して等間隔で且つ磁化方向が交番するように配置した複数の永久磁石、および該永久磁石の間に非磁性体を挟んで配置した磁性体を備えた回転子と、
前記永久磁石の前記回転軸軸方向の前面端部と背面端部間をそれぞれ空隙を介して接続するように配置したステータ鉄心と、
前記ステータ鉄心に巻回したコイルと、を備え、
前記回転軸の周方向において隣り合う永久磁石の間には、前記非磁性体と、該非磁性体の両隣りの前記磁性体と、が配置されたことを特徴とする回転電機。
【請求項２】
請求項１記載の回転電機において、
前記永久磁石の円周方向幅と、永久磁石の間に非磁性体を挟んで配置した磁性体の円周方向幅は等しいことを特徴とする回転電機。
【請求項３】
請求項１記載の回転電機において、
前記ステータ鉄心は各永久磁石に対応して配置したことを特徴とする回転電機。
【請求項４】
回転軸と同心に且つ前記回転軸と並行して等間隔で且つ磁化方向が交番するように配置した複数の永久磁石、および該永久磁石の間に非磁性体を挟んで配置した磁性体を備えた円板状の回転子と、
それぞれの永久磁石の前記回転軸軸方向の前面端部と背面端部間をそれぞれ空隙を介して接続するように配置したステータ鉄心と、
前記ステータ鉄心のそれぞれに巻回した電機子コイルと、
少なくとも１つの前記ステータ鉄心に巻回した脈動抑制コイルを備え、
前記回転軸の周方向において隣り合う永久磁石の間には、前記非磁性体と、該非磁性体の両隣りの前記磁性体と、が配置され、
前記コイルにパルス電流を供給して、回転子に働く脈動トルクを抑制したことを特徴とする回転電機。
以上
【発明の詳細な説明】
【技術分野】
【０００１】
本発明は、回転電機に係り、特に脈動トルクを低減した回転電機に関する。
【背景技術】
【０００２】
従来の回転電機、例えば発電機では、水力、火力等のエネルギーを回転エネルギに変換し、変換した回転エネルギで発電機を駆動して発電を行っている。一般に使用される発電機は、Ｎ極およびＳ極を有する永久磁石を回転軸に取り付けた回転子、前記永久磁石により形成される磁極数に応じた磁極を有する電機子鉄心、および該電機子鉄心に巻回した発電コイルを備え、前記回転子を回転駆動することにより、電機子鉄心内に交流磁界を発生し、発生した交流磁界により前記発電コイルに交流電圧を発生させている。
【０００３】
ところで、発電機あるいは電動機等の回転電機を構成する電機子鉄心は、電機子鉄心に巻回したコイルに十分な磁界を供給するため、前記回転子に取り付けた磁石と近接して配置することが望まれる。永久磁石と電機子鉄心とを近接して配置すると、永久磁石と鉄心の間に吸引力が働く。この吸引力は、回転電機の出力の向上を図るため、強力な永久磁石を用いる場合には、特に大きな値となる。
【０００４】
また、この吸引力は回転子の回転角度に依存して変動し、回転子の回転トルクに影響を及ぼす。このトルク、すなわち、電機子と回転子との間の磁気的吸引力に基づくトルク（脈動トルク）が大きくなると、回転子の回転角速度にばらつきが発生し、発電機には、異常振動あるいは騒音等の問題が発生する。また、例えば、風力発電等に用いられる発電機においては、回転翼が動き始める始動トルクが大きくなる。また、回転翼を連続して回転させるための抵抗も大きくなる。よって、微風の状態で発電することは困難となる。
【０００５】
このような脈動トルクによる不具合を抑制する技術として、特許文献１が知られている。特許文献１によれば、回転軸の回転方向に偶数の磁極が配置された磁石と、前記磁石の偶数の磁極に対応した鉄片が該磁極に近接され前記回転軸と同軸に配置されたヨークとを含む発電手段の３以上が前記回転軸によって連結され、一の発電手段の磁石とヨーク及び他の発電手段の磁石とヨークを、それぞれ相対的に回転させ、一の発電手段の磁石とヨークの鉄片が引き合う力と、他の発電手段の磁石とヨークの鉄片が引き合う力とを相殺させるようにしている。また、特許文献２には、回転板の回転方向と交叉する方向が長手方向となる矩形の磁石が複数配置され、隣の磁石の極性が交互に相違するようにされた回転板と、回転板上の特定磁極の磁石を回転板の上下から挟みこむ位置に設けられた電機子鉄心が複数配置され、複数の電機子鉄心の間に共通に巻線が巻かれた電機子とを備える回転電機が示されている。
【先行技術文献】
【特許文献】
【０００６】
【特許文献１】特開２００９−２４０１５９号公報
【特許文献２】特開２０１１−１０１５３５号公報
【発明の概要】
【発明が解決しようとする課題】
【０００７】
前記従来技術によれば、脈動トルクを抑制するため、発電手段は、１つの回転軸に、複数の起電手段を連結する構造を備える。
【０００８】
ここで、前記起電手段は、外部から回転力が供給される回転軸に対して放射状且つ、円周方向に沿って交互に磁極を配置した永久磁石と、前記回転軸の外周にボビンを介して巻回したコイルと、永久磁石から発生する磁束を前記コイルと鎖交するように誘導するヨークと、前記回転軸に対して放射状且つ円周方向に沿って配置され、前記永久磁石によって磁化される複数の被吸着片を備えた引力手段とから構成される。なお、前記引力手段は永久磁石の極と被吸着片間に働く引力をある程度打ち消すことにより回転軸にかかる引力である脈動トルクを減少させる手段である。
【０００９】
このため、前記従来技術によれば発電手段はその構成が複雑となる。また発電手段を小型化することは困難である。
【００１０】
本発明は、これらの問題点に鑑みてなされたもので、脈動トルクの回転子の回転に与える影響を抑制することのできる回転電機を提供するものである。
【課題を解決するための手段】
【００１１】
本発明は上記課題を解決するため、次のような手段を採用した。
【００１２】
回転軸と同心に且つ前記回転軸と並行して等間隔で且つ磁化方向が交番するように配置した複数の永久磁石、および該永久磁石の間に非磁性体を挟んで配置した磁性体を備えた回転子と、前記永久磁石の前記回転軸軸方向の前面端部と背面端部間をそれぞれ空隙を介して接続するように配置したステータ鉄心と、前記ステータ鉄心に巻回したコイルと、を備え、前記回転軸の周方向において隣り合う永久磁石の間には、前記非磁性体と、該非磁性体の両隣りの前記磁性体と、が配置された回転電機。
【発明の効果】
【００１３】
本発明は、以上の構成を備えるため、脈動トルクの回転子の回転に与える影響を抑制し、回転子をスムーズに回転させることができる。
【図面の簡単な説明】
【００１４】
【図１】本発明の回転電機を説明する斜視図である。
【図２】回転子を説明する図である。
【図３】回転子に働くトルクを説明する図である。
【図４】回転子に働くトルクを説明する図である。
【図５】回転子に働くトルクを説明する図である。
【図６】回転子に働くトルクを説明する図である。
【図７−１】パルス電流による脈動トルクの抑制動作を説明する図である。
【図７−２】パルス電流による脈動トルクの抑制動作を説明する図である。
【図８】第２のステータ鉄心を備えた回転電機を説明する図である。
【発明を実施するための形態】
【００１５】
以下、本発明の実施形態を添付図面を参照しながら説明する。
【００１６】
（第１の実施形態）
図１は、第１の実施形態にかかる発電機（２４極）を説明する斜視図であり、図２は、図１に示す回転子を説明する図であり、図２ａは１２極、図２ｂは６極の場合を示している。
【００１７】
これらの図において、１０は回転電機、１１は回転軸、１２は回転子、１２Ｍ（１２Ｍ−１，１２Ｍ−２・・・）は永久磁石であり、回転軸１１と同心に且つ前記回転軸１１と並行して等間隔で且つ磁化方向が交番するように複数個配置されている。１３（１３−１，１３−２，・・・）はＣ字型のステータ鉄心である。ステータ鉄心は図示しないハウジングに収容されている。
【００１８】
回転子１２には回転軸１１が貫通して、回転軸１１は図示しない軸受を介して前記ハウジングに支持されている。
【００１９】
永久磁石１２Ｍの回転方向Ｗの前後には磁性体板１２Ｆ、１２Ｒが配置される。また、隣り合う永久磁石１２Ｍの間には、磁性体板１２Ｆ、１２Ｒを介して非磁性体板１２Ｃが配置される。前記非磁性体板１２Ｃとしてはステンレス鋼板、ベークライト板等が、また、磁性体板１２Ｆ、１２Ｒとしては電磁鋼鈑が用いられる。なお、永久磁石１２Ｍと、磁性体版１２Ｆ，１２Ｒおよび非磁性体板１２Ｃの積層体が円周方向に占める角度θは等しく（θ１＝θ２，θ３＝θ４）設定する。
【００２０】
前記Ｃ字型のステータ鉄心１３（１３−１，１３−２・・・）は、前記複数の永久磁石１２Ｍ（１２Ｍー１，１２Ｍ−２・・・）のそれぞれ前面端部（図の上側面）と背面端部（図の下側面）間をそれぞれ空隙を介して接続するように配置する。また、Ｃ字型のステータ鉄心には、それぞれコイル１４を巻回し、これらのコイルは、例えば直列に接続する。
【００２１】
これにより、例えば、回転軸１１を外部から駆動すると、永久磁石→ステータ鉄心→永久磁石を通る磁束は断続し、コイル１４から交流出力を得ることができる。
【００２２】
図１においては、コイル１４をＣ字型のステータ鉄心の直線部のそれぞれ（１４ａ，１４ｂ，１４ｃ，１４ｄ，１４ｅに巻回したが、例えば、１４ａ、および１４ｅにのみ巻回しても良い。
【００２３】
図３，４，５，６は、回転子に働くトルクを説明する図であり、図３は、回転子に配置された永久磁石１２Ｍの前面がステータ鉄心の前面に全面で対向し、永久磁石の背面がステータ鉄心の背面に全面で対向する位置にある。なお、図３，４，５，６は回転子１２を構成する複数の永久磁石、磁性体板、非磁性体板、およびＣ字型ステータ鉄心の前記永久磁石と対向する部分を永久磁石の外表面に沿って展開して示す図である。
【００２４】
図４は、回転子１２が回転し、永久磁石が左方向に磁石幅の１／２移動した状態を示し、永久磁石の移動方向の後半部分（永久磁石の右半分）と磁性体板１２Ｒがステータ鉄心の前面および背面に対向している。
【００２５】
図５は、更に、回転子が回転し、永久磁石が左方向に磁石幅の１／２移動した状態を示し、永久磁石は、ステータ鉄心の前面および背面の何れとも対向していない。
【００２６】
図６は、更に、回転子が回転し、永久磁石が左方向に磁石幅の１／２移動した状態を示し、永久磁石の回転方向の前半部分と磁性体板１２Ｆがステータ鉄心の前面および背面に対向している。
【００２７】
ところで、回転電機には、「リラクタンストルク」と「マグネットトルク」が作用する。リラクタンストルクは、磁石が鉄心等の磁性体を引きつける力に基づくトルクであり、マグネットトルクは磁極が互いに反発したり吸引したりする力に基づくトルクである。
【００２８】
永久磁石が、図３の位置にあるとき、例えば、永久磁石１２Ｍ−２による磁束φｍは、永久磁石１２Ｍ−２→ステータ鉄心１３の前面→ステータ鉄心１３の背面→永久磁石１２Ｍ−２を通り、ステータ鉄心に巻回した発電コイル１４と鎖交する。前記鎖交に伴い発電コイル１４には起電力ｅが誘起される。
【００２９】
発電コイルに起電力が発生して負荷電流ｉが流れると負荷磁束２φｃが発生する。負荷磁束２φcは、主として永久磁石の回転方向の前後に配置された磁性体板１２Ｆ，１２Ｒを通過する（永久磁石の比透磁率μｓ＝１，磁性体のμｓ＝６０００である。このため、磁束の大部分は磁性体板を通る）。
【００３０】
永久磁石が、図４に示す位置にあるとき、永久磁石１２Ｍ−２による磁束φｍの一部αφｍは、永久磁石→ステータ鉄心の前面→ステータ鉄心の背面→永久磁石を通る。このとき、永久磁石には回転子を右方向に回転させようとするリラクタンストルクが働いている。このリラクタンストルクは脈動トルク原因となる。また、前記磁束αφｍは発電コイルと鎖交する。
【００３１】
また、前記磁束φｍの一部βφｍは磁性体板１２Ｆ、１２Ｒを通過して前記永久磁石に戻る。
【００３２】
前記鎖交に伴い、ステータ鉄心に巻回した発電コイルには起電力ｅが誘起され、発電コイルには負荷電流ｉｃが流れ、負荷磁束２φｃ（φｃ１＋φｃ２）が発生する。
【００３３】
負荷磁束２φcは、主として永久磁石の回転方向の前後に配置された磁性体板１２Ｆ，１２Ｒを通過する。すなわち、２φｃの一部φｃ１は磁性体板１２Ｒを通り、２φｃの一部φｃ２は磁性体板１２Ｆを通る。
【００３４】
このようにして、回転子の磁性体板１２Ｆ、１２Ｒには、それぞれ磁束φｃ１＋βφｍ、磁束φｃ２−βφｍが通過する。この磁束により回転子には回転子を左方向に駆動するようなトルクが発生する。
【００３５】
この回転子を左方向に駆動するようなトルクは永久磁石とステータ鉄心間に働く前記リラクタンストルクとは逆方向である。このため永久磁石とステータ鉄心間に働く前記リラクタンストルクに基づく脈動トルクを抑制することができる。
【００３６】
永久磁石１２Ｍ−２が図５の位置にあるとき、永久磁石からステータ鉄心に流れ込む磁束は、コイル内で打ち消し合う。このため、発電コイルに電圧は誘起されない。
【００３７】
また、永久磁石が図６の位置にあるとき、永久磁石による磁束φｍの一部αφｍは、永久磁石→ステータ鉄心の前面→ステータ鉄心の背面→永久磁石を通る。このとき、永久磁石には回転子を左方向に回転させようとするリラクタンストルクが働く。このリラクタンストルクは脈動トルクの原因となる。また、前記磁束αφｍは発電コイルと鎖交する。また、磁束φｍの一部βφｍは磁性体板１２Ｆ、１２Ｒを通過して前記永久磁石に戻る。
【００３８】
前記鎖交に伴い、背面ステータ鉄心に巻回した発電コイルには起電力ｅが誘起され、発電コイルには負荷電流ｉｃが流れ、負荷磁束２φｃが発生する。
【００３９】
負荷磁束２φcは、主として永久磁石の回転方向の前後に配置された磁性体板１２Ｆ，１２Ｒを通過する。すなわち、φｃの一部φｃ１は磁性体板１２Ｆを通り、φｃの一部φｃ２は磁性体板１２Ｒを通る。
【００４０】
すなわち、回転子の磁性体板１２Ｆ、１２Ｒには、それぞれ磁束φｃ１＋βφｍ、磁束φＣ２−βφｍが通過する。この磁束により回転子には回転子を右方向に駆動するようなトルクが発生する。
【００４１】
この回転子を右方向に駆動するようなトルクは永久磁石とステータ鉄心間に働く前記リラクタンストルクとは逆方向である。このため永久磁石とステータ鉄心間に働く前記リラクタンストルクに基づく脈動トルクを抑制することができる。なお、ステータ鉄心の形状はＣ字型のステータ鉄心１３（１３−１，１３−２・・・）は、永久磁石１２Ｍの前面端部（図の下側面）と背面端部（図の上側面）間を空隙を介して接続できる形状であれば良い。
【００４２】
以上説明したように、本発明の第１の実施形態によれば、リラクタンストルクに基づく脈動トルクを抑制することができる。
【００４３】
（第２の実施形態）
第１の実施形態においては、ステータ鉄心（第１のステータ鉄心）を回転方向に間隔を空けて配置している。このため、例えば、回転子が前記図５に示す位置あるとき永久磁石のから出る磁束は有効に利用されない。本実施形態によれば、第１のステータ鉄心と同一形状の第２のステータ鉄心（１３−１’、１３−２’・・・）を用意し、これを、図８に示すように前記第１のステータ鉄心（１３−１，１３−２・・・）の間に挿入する。このため、回転子の永久磁石は、何れかのステータ鉄心に影響を及ぼす位置に置かれることになり、回転電機の出力を増大することができる。
【００４４】
なお、以上の例では、リラクタンストルクに基づく脈動トルクを抑制するのに、回転子の磁性体板１２Ｆ、１２Ｒを通る磁束φｃ１＋βφｍ、および磁束φｃ２−βφｍにより発生する反抗トルクを利用したが、この反抗トルクをステータ鉄心に巻回したコイルを励磁することにより生成することができる。
【００４５】
図７−１、７−２は、パルス電流による脈動トルクの抑制動作を説明する図であり、前記第１および第２のステータ鉄心を備えた発電機の回転子および電機子部分を周方向に展開した展開図である。なお、図７−１および図７−２中の（１）〜（１０）は、各時点毎の回転子の移動位置を示している。
【００４６】
図７−１（２）〜（３）、図７−２（６）〜（７）に示すように、例えば永久磁石１２Ｍ−１に対向するステータ鉄心の辺のうち、回転方向（図の例では左方向）に先行するステータ鉄心１３−１の辺ａと前記永久磁石１２Ｍ−１との対向面積が、回転方向に後行するステータ鉄心１３−１’の辺ｂと前記永久磁石との対向面積よりも少ないとき、すなわち、回転方向に先行するステータ鉄心１３−１の辺ａと前記永久磁石との間に働くリラクタンストルクが、回転方向に後行するステータ鉄心１３−１’の辺ｂと前記永久磁石との間に働くリラクタンストルクよりも少ないとき（このような場合には、回転電機の回転子は回転方向に後行するステータ鉄心１３−１’の辺ｂと前記永久磁石との間に働くリラクタンストルクにより、回転方向とは逆の方向に駆動される）、前記回転方向に先行するステータ鉄心１３−１に巻回したコイル（脈動抑制コイル）に前記永久磁石を吸引する方向に磁極が生成されるようにパルス電流を供給する。あるいはステータ鉄心１３−１’に巻回したコイル（脈動抑制コイル）に前記永久磁石を反発する方向に磁極が生成されるようにパルス電流を供給する。なお脈動抑制コイルは発電コイルと共用することができる。
【００４７】
ここで、図７−１、７−２において、ステータ鉄心上に「Ｎ」、「Ｓ」で示した位置にある磁極は、前記磁極に巻回したコイル（脈動抑制コイル）に供給したパルス電流により形成された磁極を示す。このように磁極を生起させることにより、例えば前記永久磁石１２Ｍ−１と回転方向に後行するステータ鉄心１３−１’の辺ｂとの間に働くリラクタンストルクを抑制して、該リラクタンストルクに基づく脈動トルクを抑制することができる。  なお、脈動抑制コイルは１箇所（例えばステータ鉄心１３−１）に巻回すればよいが、第２のステータ鉄心のすべてに巻回してこれらを直列に接続した回路に前記パルス電流を供給してもよい。なお、脈動抑制コイルに供給するパルス電流の供給タイミングは回転子の回転位置を検出する位置センサ等から得ることができる。
【００４８】
以上説明したように、永久磁石を吸引あるいは反発する方向に磁極が生成されるようにパルス電流を供給して回転子を駆動することにより、前記脈動トルクを抑制することができる。
【００４９】
このように、永久磁石と対向するステータ鉄心の間に働く吸引力による回転子の回転方向が、回転子の回転方向（駆動方向）と異なるとき（例えば、図４に示すように永久磁石の中心がステータ鉄心の中心よりも回転方向前方にずれており、回転子に回転方向とは逆方向にトルクが発生するとき）、第１あるいは第２のステータ鉄心に巻回した脈動抑制コイルに前記永久磁石を吸引または反発する方向のパルス電流を供給するので、前記脈動トルクに反抗するトルクを生成して、前記脈動トルクを抑制することができる。
【００５０】
以上、本発明の実施形態を発電機を例に説明したが、電動機にも同様に適用することができる。
【符号の説明】
【００５１】
１０  回転電機
１１  回転軸
１２  回転子
１２Ｍ  永久磁石
１２Ｆ、１２Ｒ  磁性体板
１２Ｃ  非磁性体板
１３  ステータ鉄心
１４  コイル  
【図２】
0005372115.tif 000002
【図３】
0005372115.tif 000003
【図４】
0005372115.tif 000004
【図５】
0005372115.tif 000005
【図６】
0005372115.tif 000006
【図８】
0005372115.tif 000007
【図１】
0005372115.tif 000008
【図７−１】
0005372115.tif 000009
【図７−２】
0005372115.tif 000010